(57)【特許請求の範囲】
【請求項１】
上流端に水源からの水を取入れる給水接続口が設けられた冷水回路と、上流端に温水供給装置からの温水を取入れる給湯接続口が設けられた温水回路と、前記冷水回路と温水回路の合流点における前記冷水と温水の混合割合を調節する湯水混合器と、前記合流点から延びると共に下流端に前記合流点の混合水を温水取出装置へ送出する出湯接続口が設けられた混合水回路とを備えた通水管集合体と、
前記給水接続口、給湯接続口及び出湯接続口の各接続口が外側に突出する態様で前記通水管集合体を収容する直方体状の本体ケースとを具備する湯水混合ユニットにおいて、
前記本体ケースの対向する一対の第１側板部及び第２側板部は、前記本体ケースに着脱可能に取付けられており、
前記通水管集合体は、前記各接続口が前記本体ケースの第１側板部及び第２側板部以外の対向する一対の第３側板部又は第４側板部から突出すると共に、前記第１側板部及び第２側板部以外の側板部に支持されている、湯水混合ユニット。
【請求項２】
請求項１に記載の湯水混合ユニットにおいて、
前記第１側板部及び第２側板部は、相互に取換え配設可能な形状に成形されている、湯水混合ユニット。
【請求項３】
請求項１又は２に記載の湯水混合ユニットにおいて、
前記通水管集合体は、前記各接続口がすべて前記第３側板部及び第４側板部のいずれか一方から突出されると共に、前記一方の側板部のみに支持されている、湯水混合ユニット。
【請求項４】
請求項３に記載に湯水混合ユニットにおいて、
前記通水管集合体は、前記第３側板部又は第４側板部のいずれか一方に貫通固定される冷水回路用管継手、温水回路用管継手及び混合水回路用管継手の各管継手と、前記本体ケース内において前記各管継手にそれぞれ挿脱自在に嵌合される冷水回路用通水管、温水回路用通水管及び混合水回路用通水管とを具備し、
前記各通水管は、前記各管継手との嵌合部にそれぞれ外嵌される着脱自在なクリップ部材によって脱落防止状態に前記各管継手に接続されている、湯水混合ユニット。
【請求項５】
請求項１,２,３又は４に記載の湯水混合ユニットにおいて、前記本体ケースには、本湯水混合ユニットを壁面に取付けるための取付金具が前記第１側板部又は第２側板部と共に取外し可能に配設される、湯水混合ユニット。
【発明の詳細な説明】
【０００１】
【発明の属する技術分野】
本発明は、 例えば、自然エネルギーを利用した太陽熱温水器等や各種廃熱を利用した温水器等から構成される温水供給装置を給湯器や洗濯機等の温水を取出す装置に接続するための湯水混合ユニットにあって、湯水混合ユニットを構成する通水管集合体の本体ケースへの収容態様に関する技術である。
【０００２】
【従来の技術】
天候等に左右されずに目的温度の温水を取出せるように、上記温水供給装置である太陽熱温水器と上記温水取出装置である補助熱源の給湯器とを本発明の対象物である湯水混合ユニットによって接続させたソーラ給湯システムが知られている。
【０００３】
前記ソーラ給湯システムは、図６の概略図に示されるように、通常、建物の屋根等に配設される太陽熱温水器５と、台所や浴室等の実際に湯水を取出す場所又はその近傍に配設される給湯器７と、前記太陽熱温水器５と給湯器７の間に配設され前記太陽熱温水器５のソーラ用給湯回路５６からのソーラ温水と水源に繋がる給水回路５９からの冷水を取込んで混合し給湯器７に接続される入水回路７７を介してこの混合水を前記給湯器７へ送水する給湯器用湯水混合ユニット１とから構成されている。一般的に、前記給湯器用湯水混合ユニット１は、前記給湯器７の近傍において壁面に隣接する状態で床面に載置又は前記壁面に取付けられ他状態で設置されている。
【０００４】
前記給湯器用湯水混合ユニット１は、図６に示されるように、上流端に前記ソーラ用給湯回路５６に接続される給湯接続口３０を備えた温水回路３と、上流端に前記給水回路５９に接続される給水接続口２０を備えた冷水回路２と、前記温水回路３と冷水回路２の下流端がそれぞれ接続されると共に前記温水回路３のソーラ温水と前記冷水回路２の冷水を混合して所定温度の混合水とする湯水混合器６と、前記湯水混合器６から延びると共に下流端に前記入水回路７７に接続される出湯接続口４０を備えた混合水回路４とからなる通水管集合体と、この給湯器用湯水混合ユニット１を制御するユニットコントローラ及び主電源(ここでは図示しない)と、上記各構成部材を収容する直方体状の本体ケース１０とから構成されている。
【０００５】
前記通水管集合体は、図７に示されるように、前記ソーラ用出湯回路５６，給水回路５９，入水回路７７へ接続し易いように前記給水接続口２０及び給湯接続口３０が前記本体ケース１０の左側面板１４から外側に突出されると共に、前記出湯接続口４０が右側面板１３から外側に突出された態様で前記本体ケース１０に収容されており、前記通水管集合体、前記ユニットコントローラ及び主電源等の各構成部材は前記本体ケース１０にネジ止め等により固定されている。
また、前記本体ケース１０の前面板１１は、前記給湯器用湯水混合ユニット１のメンテナンスや部品交換を行うために前記本体ケース１０に対して着脱自在に配設されている。
【０００６】
【発明が解決しようとする課題】
しかしながら、この例の給湯器用湯水混合ユニット１においては、前記太陽熱温水器５からのソーラ用給湯回路５６に接続される給湯接続口３０及び前記給湯器７の入水回路７７に接続される出湯接続口４０がそれぞれ本体ケース１０の左側面板１４と右側面板１３から突出されているから、この給湯器用湯水混合ユニット１の設置場所に前記ソーラ用給湯回路５６，入水回路７７が前記各接続口３０，４０と左右が逆に位置している場合は、前記前面板１１が壁面に対面する前後逆向きで配設させることとなるため、必要に応じて前記前面板１１を取外して前記給湯器用湯水混合ユニット１のメンテナンスや部品交換を行うことができない。
【０００７】
更に、一般的に前記給湯器用湯水混合ユニット１を壁面に取付けるための取付金具は前記後面板１２のみに設けられているため、前記給湯器用湯水混合ユニット１を前後逆向きで壁面に設置することは困難である。
【０００８】
また、前記前面板１１が取外し可能な向きで前記給湯器用湯水混合ユニット１を配設する方法として、前記ソーラ用給湯回路５６，入水回路７７を各接続口２０，３０，４０が突出される逆側の側面板１３，１４まで延設させる方法も考えられるが、配管が複雑になり外観が良くないと共に前記入水回路７７が延設される場合には前記給湯器用湯水混合ユニット１で適温に調節された混合水の温度が入水回路７７のを通水する間に外気温等の影響によって冷却されて前記適温水を給湯器７に供給できないという不都合を生じる可能性がある。
【０００９】
本発明は、上記事情を鑑みてなされたものであり、『上流端に水源からの水を取入れる給水接続口が設けられた冷水回路と、上流端に温水供給装置からの温水を取入れる給湯接続口が設けられた温水回路と、前記冷水回路と温水回路の合流点における前記冷水と温水の混合割合を調節する湯水混合器と、前記合流点から延びると共に下流端に前記合流点の混合水を温水取出装置へ送出する出湯接続口が設けられた混合水回路とを備えた通水管集合体と、
前記給水接続口、給湯接続口及び出湯接続口の各接続口が外側に突出する態様で前記通水管集合体を収容する直方体状の本体ケースとを具備する湯水混合ユニット』において、湯水混合ユニットの設置作業及びメンテナンス作業が容易に行えるようにすることを課題とする。
【００１０】
【課題を解決するための手段】
＊１項
上記課題を解決するための本発明の技術的手段は、『前記本体ケースの対向する一対の第１側板部及び第２側板部は、前記本体ケースに着脱可能に取付けられており、
前記通水管集合体は、前記各接続口が前記本体ケースの第１側板部及び第２側板部以外の対向する一対の第３側板部又は第４側板部から突出すると共に、前記第１側板部及び第２側板部以外の側板部に支持されている』ことを特徴とするものである。
ここで、前記第１側板部及び第２側板部以外の側板部とは、前記各接続管が突出される第３側板部及び第４側板部だけでなく、前記本体ケースを構成する前記第１から第４側板部以外の側板部を含むものである。
【００１１】
これによれば、前記第１及び第２側板部が着脱自在に配設されているから、本体ケースの前記第３又は第４側板部から突出される各接続口と、前記各接続口に接続されて本湯水混合ユニットへ給水及び給湯を行う回路及び本湯水混合ユニットから出湯を行う回路の各配管の位置関係によって、本湯水混合ユニットが前記第１及び第２側板部のどちらが壁面に対面するように配設されても、本湯水混合ユニットの前面側に位置する第１及び第２側板部を取外すことができる。
前記通水管集合体は、前記第１及び第２側板部以外の側板部によって支持されるように前記本体ケースに収容されているため、前記第１及び第２側板部の着脱を妨げることはない。
【００１２】
＊２項
１項において、『前記第１側板部及び第２側板部は、相互に取換え配設可能な形状に成形されている』ものでは、本湯水混合ユニットの設置方向に応じて前記第１側板部と第２側板部を交換できるため、予め、第１及び第２側板部のいずれか一方に前記給湯器用湯水混合ユニットの取扱い上の注意事項や製品ラベルなどを貼着させる等して前記本体ケースの前面板仕様に形成することができる。また、同様に、前記第１及び第２側板部の他方に壁面への取付金具を設ける等して前記本体ケースの後面板仕様に形成させることができる。
【００１３】
＊３項
１項又は２項において、『前記通水管集合体は、前記各接続口がすべて前記第３側板部及び第４側板部のいずれか一方から突出されると共に、前記一方の側板部のみに支持されている』ものでは、各接続口が前記第３及び第４側板部のいずれか一方のみから突出されるため、前記各接続口が前記第３及び第４側板部の両方に別れて突出される構成のものよりも湯水混合ユニットの設置に必要な場所が小さいと共に、第３及び第４側板部の他方と前記第１又は第２側板部のいずれか一方の２つの隣接する側板部が共に壁面に対面する態様で配設できるためコーナー部への設置が可能である。
【００１４】
＊４項
３項において、『前記通水管集合体は、前記第３側板部又は第４側板部のいずれか一方に貫通固定される冷水回路用管継手、温水回路用管継手及び混合水回路用管継手の各管継手と、前記本体ケース内において前記各管継手にそれぞれ挿脱自在に嵌合される冷水回路用通水管、温水回路用通水管及び混合水回路用通水管とを具備し、
前記各通水管は、前記各管継手との嵌合部にそれぞれ外嵌される着脱自在なクリップ部材によって脱落防止状態に前記各管継手に接続されている』ものでは、前記各管継手と各通水管の嵌合部を外嵌保持している各クリップ部材を取外すことで、前記通水管集合体の各通水管及びこれらに接続される湯水混合器を含む部分を前記各管継手から取外して前記本体ケース１０から取出すことができるため、前記各通水管及び湯水混合器を含む部分のメンテナンス及び部品交換が容易である。また、前記各通水管及び湯水混合器を含む部分が前記本体ケースの外側に取出されることによって前記本体ケース１０の内面に固定された前記各管継手のメンテナンス及び部品交換も容易である。メンテナンス又は部品交換の終了後は、前記各管継手に各通水管を嵌合するように接続させた後、前記嵌合部に前記クリップ部材を外嵌させることで元のように脱出防止状態に接続することができる。
【００１５】
前記各管継手は、第３又は第４側板部のいずれか一方に固定されているため、前記クリップ部材を取外した後、前記通水管及び湯水混合器を含む部分を他方の側板部の方へ引っ張ることで簡単に前記各管継手から取外すことができる。
また、本発明の湯水混合ユニットを製作する際において、本体ケースへの通水管集合体の収容・取付けも容易である。
【００１６】
＊５項
１項，２項，３項又は４項において、『前記本体ケースには、本湯水混合ユニットを壁面に取付けるための取付金具が前記第１側板部又は第２側板部と共に取外し可能に配設される』ものでは、湯水混合ユニットを床面に載置する場合には前記第１及び第２側板部のみを本体ケースに配設させて前記取付金具が設けられない態様とすることができる。また、前記湯水混合ユニットを壁面へ取付ける場合には、前記第１及び第２側板部の壁面に対面する一方の側板部と前記取付金具を本体ケースに配設させて壁面へ設置可能な構成とすることができるため、何れの設置方法にも対応可能であると共に設置方法の変更が容易である。
【００１７】
【発明の効果】
上記のような構成であるから本発明は次の特有の効果を有する。
本発明の湯水混合ユニットは、本体ケースの第１及び第２側板部のどちらが壁面に対面するように配設させても、本湯水混合ユニットの前面側に位置する第１又は第２側板部を取外すことができるため、常に本湯水混合ユニットの前面側を開放させてメンテナンス又は部品交換等を行うことができ、メンテナンス作業が容易である。また、前記本体ケースの前後を意識することなく設置場所の各配管の位置関係に合わせて設置できるため、本湯水混合ユニットの設置作業も容易である。
【００１８】
また、２項によれば、本体ケースの第１及び第２側板部を予め本湯水混合ユニットの前面板と後面板に適した仕様にそれぞれ形成することができる。
【００１９】
また、３項によれば、本湯水混合ユニットの設置に必要な場所が小さいと共に、湯水混合ユニットをコーナー部へ設置することができる。
【００２０】
また、４項によれば、本体ケース内に収容される通水管集合体のメンテナンス及び部品交換が容易である。また、本湯水混合ユニットの製作時において本体ケースへの通水管集合体の収容・取付けが容易である。
【００２１】
また、５項によれば、本湯水混合ユニットを床面及び壁面の何れに設置させる場合にも対応可能であると共に、湯水混合ユニットの設置方法の変更が容易である。
【００２２】
【発明の実施の形態】
以下に、本発明の実施の形態を添付図面を参照しながら詳述する。
以下の実施の形態では、温水供給装置である太陽熱温水器を補助熱源である給湯器に接続するために本発明の一例である給湯器用湯水混合ユニットを利用したソーラ給湯システムを例に挙げて説明する。
本ソーラ給湯システムの概略図を図６に示している。先ず、このソーラ給湯システムの各部の構成について説明する。
【００２３】
＊太陽熱温水器５
太陽熱温水器５は、太陽熱を吸収する集熱器５０と貯湯タンク５１内とを循環するように形成された蓄熱配管５２を具備しており、前記蓄熱配管５２には膨張タンク５３と循環ポンプ５４とが配設されている。
前記貯湯タンク５１の底部には上水道などの水源から冷水を供給するソーラ用給水回路５５と水抜栓５７を具備する水抜回路５８が底部に接続されており、前記貯湯タンク５１の頂部にはこの貯湯タンク５１内のソーラ温水を給湯器用湯水混合ユニット１に送出するソーラ用出湯回路５６が接続されている。
【００２４】
＊給湯器７
給湯器７は、ここでは図示しないガスバーナで加熱される熱交換器を内蔵する給湯器本体７０と、前記給湯器本体７０に電気接続され各種操作・表示部（運転スイッチ、浴槽の湯張りスイッチ、湯温設定部、燃焼表示部等）を備えたリモコン７１とを具備しており、前記給湯器本体７０には、前記給湯器用湯水混合ユニット１からの通水を取入れる入水回路７７と、先端部に出湯蛇口８５を備えた出湯回路８４と、浴槽８１の湯張り及び追焚きに使用される往き管８２と戻り管８３がそれぞれ接続されている。
【００２５】
＊給湯器用湯水混合ユニット１
給湯器用湯水混合ユニット１は、図６に示されるように、上流端が前記太陽熱温水器５の前記ソーラ用給水回路５５から分岐された給水回路５９に接続される冷水回路２と、上流端が前記太陽熱温水器５のソーラ用出湯回路５６に接続される温水回路３と、前記冷水回路２と温水回路３の合流点から延びて下流端が前記給湯器７の入水回路７７に接続される混合水回路４とを備えた通水管集合体と、前記混合水回路４に流入する冷水とソーラ温水の混合割合を調節して所定の温度の混合水とする湯水混合器６と、本給湯器用湯水混合ユニット１を制御するためのユニットコントローラ１００と、本給湯器用湯水混合ユニット１に電力供給を行う主電源１０１と、上記の構成部材を収容するための直方体状の本体ケース１０とから構成されている。
【００２６】
前記通水管集合体は、図１から図３に示されるように、前記給水回路５９、ソーラ用出湯回路５６及び入水回路７７に接続される前記冷水回路２の給水接続口２０，前記温水回路３の給湯接続口３０，前記混合水回路４の出湯接続口４０が前記本体ケース１０の左側面板１４から外側に突出する態様で前記本体ケース１０に収容されている。また、前記ユニットコントローラ１００は、前記給湯器７に内蔵され前記給湯器７の運転制御を行う給湯コントローラとの間で情報を送受信できるように前記給湯器７とリモコン７１とをつなぐ配線ケーブルに接続されている。
【００２７】
＊ソーラ給湯システムの動作について
次に、上記の太陽熱温水器５、給湯器７及び給湯器用湯水混合ユニット１とから構成される本ソーラ給湯システムの動作について簡単に説明する。
本ソーラ給湯システムは、前記給湯器用湯水混合ユニット１内に収容された前記ユニットコントローラ１００によって制御されており、例えば、前記リモコン７１の運転スイッチをＯＮにして、ある目的温度の出湯を指示すると、この指示が前記ユニットコントローラ１００に送信され、この指示を実現し得るために必要な各部の動作が改正・演算されて、給湯器用湯水混合ユニット１の各部品及び給湯器用コントローラにそれぞれの動作指示が送信される。この動作指示に従って、前記湯水混合器６はソーラ温水及び冷水から所定温度の混合水を調整し、前記給湯器７は前記混合水を目的温度まで加熱した後に出湯蛇口８５から出湯される。
【００２８】
前記給湯器用湯水混合ユニット１による解析・演算は、配線ケーブル又は電気回路を介して得られる前記リモコン７１の運転スイッチや温度設定部等からの情報、前記給湯器７内の給湯コントローラからの情報、前記給湯器用湯水混合ユニット１内の各センサ類からの情報等を元に行われている。また、前記コントロールユニット１００は、各センサ類から送信されてくる情報を解析・演算して本ソーラ給湯システムの各部の動作を随時調節していると共に、前記各部が適正に機能しているかを常時監視している。
【００２９】
＊本体ケース１０
次に、給湯器用湯水混合ユニット１の各構成部材について詳しく説明する。
本体ケース１０は、金属板から成形される略立方体の箱体であり、図４に示されるように、左右側面板１３，１４と頂面板１５が連結された逆Ｕ字状の部材に、前面板１１と後面板１２及び脚付きの底面板１６がそれぞれネジ止め固定された構成となっており、給湯器用湯水混合ユニット１を壁面Ｗに設置するための複数の孔部が形成された上下一対の取付金具９，９が前記後面板１２に取付けられている。
【００３０】
前記前面板１１及び後面板１２は、相互に交換配設することができるように同形状に成形されており、弾性材からなるパッキン１１１,１２１を介して前記逆Ｕ字状部材の端縁に形成されたのりしろ部１８及び前記底面板１６から直立する端縁１６０に対して着脱自在にネジ止めされている。また、前記取付金具９は、前記後面板１２と共に前記Ｕ字状部材に着脱自在にネジ固定されており、前記取付金具９は、同様に前記前面板１１へも取付け可能である。
【００３１】
前記左側面板１４には、図４に示されるように、前記冷水回路２及び温水回路３の上流端部と前記混合水回路４の下流端部とを挿通させるための貫通孔１４１,１４２,１４３と、前記主電源１０１に電気を供給するための電源コードを挿通するための貫通孔１４０とが形成されている。
また、前記右側面板１３の内面には、図１及び図２に示されるように、前記ユニットコントローラ１００と主電源１０１とを前記通水管集合体から隔離状態に収容させるための区画板１７が取付けられている。
【００３２】
＊通水管集合体
前記冷水回路２は、前記左側面板１４の外側に突出されると共に前記給水回路５９に接続される給水接続口２０と、前記左側面板１４の内面に配設される逆止弁２２を備えた冷水回路用管継手２５と、水温センサ２７を備えた冷水用通水管２３とがこの順序で接続された構成であり、前記冷水用通水管２３の下流端は前記湯水混合器６に接続されている。また、前記給水接続口２０には、冷水中の除塵機能と排水機能とを兼ねたフィルタ付き水抜き栓２００が配設されている。
【００３３】
前記温水回路３は、前記左側面板１４の外側に突出されると共に前記ソーラ出湯回路５６に接続される給湯接続口３０と、前記左側面板１４の内面に配設されるバキュームブレーカ３８と安全弁である常閉電磁弁３９と逆止弁３２とを備えた温水回路用管継手３５と、湯温センサ３７を備えた温水回路用通水管３３とがこの順序で接続された構成であり、前記温水回路用通水管３３の下流端は前記湯水混合器６に接続されている。また、前記給湯接続口３０には、ソーラ温水中の除塵機能と排水機能とを兼ねたフィルタ付き水抜き栓３００が配設されている。
【００３４】
ここで、前記湯水混合器６は、前記冷水回路２と温水回路３の合流点に配設された冷水調節弁２１とその下流側における温水回路３内に配設された温水調節弁３１とから構成されており、上記冷水調節弁２１及び温水調節弁３１は対応するパルスモータ２１０，３１０の回転によって先端の弁体を各回路用通水管２３，３３の下流端に位置する流出口に接離させて、前記流出口の開放度を変化させて冷水及びソーラ温水の流入量を調節するものである。
【００３５】
前記混合水回路４は、前記湯水混合器６の下流に接続される混合回路用通水管４３と、前記左側面板１４の内面に配設される混合水の流量を計測する水量センサ４２と混合水温センサ４７と異常監視センサ４８とを備えた混合水回路用管継手４５と、前記左側面板１４の外側に突出されると共に前記入水回路７７に接続される出湯接続口４０とがこの順序で接続された構成であり、前記出湯接続口４０には、混合水回路４の水圧が過剰上昇したときに開弁し圧力開放を行う過圧逃し弁機能を兼ねた水抜き栓４００が配設されている。
【００３６】
また、この例においては、前記通水管集合体の各接続口２０，３０，４０は、前記各回路用管継手２５、３５，４５に接続される端部が前記左側面板１４の各管通孔１４１，１４２，１４３を挿通する態様で前記左側面板１４の外面にそれぞれネジ止め固定されており、前記各回路用管継手２５，３５，４５は、前記各接続口２０，３０，４０の端部と接続された状態で前記左側面板１４の内面にネジ止め固定されている。
【００３７】
前記各回路用通水管２３，３３，４３は、前記各回路用管継手２５，３５，４５に挿脱自在に嵌合されており、前記嵌合部に外嵌して前記各管継手２５，３５，４５と各通水管２３，３３，４３とを脱落防止状態に接続するクリップ部材２６，３６，４６によってそれぞれ着脱自在に接続されている。
【００３８】
上記の水温センサ２７、湯温センサ３７，混合水温センサ４７，湯水混合器６，常閉電磁弁３９，水量センサ４２及び異常監視センサ４８等の各電気部品は、前述のユニットコントローラ１００に電気接続されている。
【００３９】
＊クリップ部材２６，３６，４６
前記クリップ部材２６は、図５に示されるように、前記冷水回路用管継手２５と冷水回路用通水管２３に形成され、相互に接続された際に重ね合せ状態に接合されるフランジ部２５０，２３０に外嵌可能であると共に前記冷水回路用管継手２５と冷水回路用通水管２３とを脱落防止状態に保持し得る溝幅に設定された溝部６１０を有する左右一対の略半円形の保持部材６１と、自然状態で前述のように前記フランジ部２５０，２３０を外嵌保持し得ると共に指等で挟持するように力を加えることによって左右の保持部６１，６１がハ字状に開脚するように弾性変形し得るように連結する操作摘み６０とから構成されている。
【００４０】
このような構成であるため、操作摘み６０を挟持して前記保持部６１，６１を開脚させることで容易に前記接合状態のフランジ部２５０，２３０に装着又は脱離できる。前記温水回路３及び混合回路４に用いられるクリップ部材３６，４６も上記冷水回路２に用いられるものと同じ構成である。
【００４１】
上記のような構成であるため、この例の給湯器用湯水混合ユニット１は、本体ケース１０に対して前面板１１及び後面板１２が着脱自在に配設されているため、前記前面板１１が壁面Ｗに対面するように設置させる場合も、給湯器用湯水混合ユニット１の前側に位置する前記後面板１２を取外してメンテナンス又は部品交換等を行うことができるためメンテナンス作業が容易である。また、前記本体ケース１０の前後面を意識することなく給湯器用湯水混合ユニット１を配設できるため設置作業も容易である。
【００４２】
また、前記各接続口２０，３０，４０がすべて前記左側面板１４から突出されているため、給湯器用湯水混合ユニット１の設置に必要な場所が小さくて済むと共に、後面板１２と右側面板１３の両方が壁面に対面するコーナー部へ給湯器用湯水混合ユニット１を設置することができる。
【００４３】
この例においては、前記クリップ部材２６，３６，４６を取外すことで本体ケース１０内に収容される通水管集合体を部分的に取外して前記本体ケースの外側に取出すことができるため、前記通水管集合体のメンテナンス及び部品交換が容易である。また、給湯器用湯水混合ユニット１の製作時において本体ケース１０への通水管集合体の収容・取付けも容易である。
【００４４】
この例において、前記取付金具９は、前記後面板１２及び前面板１１と共に前記本体ケース１０に着脱自在にネジ止めされるため、給湯器用湯水混合ユニット１を床面に載置させる場合には上下の前記取付金具９，９を取付けない状態で前記後面板１２を前記本体ケース１０にネジ止めし、前記壁面Ｗに取付ける場合には前記後面板１２と共に前記取付金具９．９を前記本体ケース１０にネジ止めするだけで対応できるので、各設置方法へ対応して容易に前記本体ケース１０の構成を変化させることができる。また、前記給湯器用湯水混合ユニット１の設置方法を床面への載置と壁面への取付の間で容易に変更させることができる。
【００４５】
＊その他の実施例
前述の例において、前記通水管集合体は各接続口２０，３０，４０がすべて左側面板１４から突出される態様で前記本体ケース１０に収容されているが、図７の先行例のものと同様に、左側面板１４から前記給水接続口２０及び給湯接続口３０が突出され、右側面版１３から出湯接続口４０が突出される態様で前記本体ケース１０に収容される構成としてもよい。
【００４６】
また、前述の例においては、前記前面板１１と後面板１２は同じ形状及び構成となるように成形されているが、前記前面板１１と後面板１２とを相互に交換配置可能な形状に成形させたものでは、前記給湯器用湯水混合ユニット１の設置方向に応じて前記前面板１１と後面板１２とを交換できるため、予め、前記前面板１１に前記給湯器用湯水混合ユニット１の取扱い上の注意事項や製品ラベルなどを貼着させたり、メンテナンス作業に必要な配線図を取付けたり、外側から本体ケース内を確認できる窓部を設ける等の給湯器用湯水混合ユニット１の前面側に適した仕様に形成させることができる。また、同様に、後面板１２のみに前記取付金具９を配設可能な構成としたり、化粧用の塗装が施されない板材を採用する等の壁面に対面される後面側に適した仕様に形成させることができる。
【００４７】
上記の例においては、ソーラ給湯システムにおいて太陽熱温水器５と補助熱源の給湯器７とを接続する給湯器用湯水混合ユニットが実施例として取上げているが、本発明の湯水混合ユニットはソーラ給湯システムへの利用に限られるものではなく、温水供給装置は各種廃熱を利用するものであってもよく、前記温水取出装置としては給湯器以外に洗濯機等ように温水を使用する装置であってもよい。
【図面の簡単な説明】
【図１】本発明実施の形態の給湯器用湯水混合ユニットの前面板を取外した状態の正面図である。
【図２】図１のＩＩ−ＩＩ断面図
【図３】給湯器用湯水混合ユニットの壁面への取付け状態を示す側面図である。
【図４】給湯器用湯水混合ユニットの本体ケースの分解斜視図である。
【図５】冷水回路用管継手と冷水回路用通水管との接続状態を示す分解斜視図である。
【図６】本発明の実施の形態の給湯器用湯水混合ユニットを用いたソーラ給湯システムの概略図である。
【図７】従来の給湯器用湯水混合ユニットを示す斜視図である。
【符号の説明】
(1)・・・給湯器用湯水混合ユニット
(10)・・・本体ケース
(11)・・・前面板
(12)・・・後面板
(13)・・・右側面板
(14)・・・左側面板
(2)・・・冷水回路
(20)・・・給水接続口
(23)・・・冷水回路用通水管
(25)・・・冷水回路用管継手
(26)(36)(46)・・・クリップ部材
(3)・・・温水回路
(30)・・・温水接続口
(33)・・・温水回路用通水管
(35)・・・温水回路用管継手
(4)・・・混合水回路
(40)・・・混合水接続口
(43)・・・混合水用通水管
(45)・・・混合水用管継手
(5)・・・太陽熱温水器
(6)・・・湯水混合器
(7)・・・給湯器
【図１】
0003699389.tif 000002
【図２】
0003699389.tif 000003
【図３】
0003699389.tif 000004
【図４】
0003699389.tif 000005
【図５】
0003699389.tif 000006
【図６】
0003699389.tif 000007
【図７】
0003699389.tif 000008